(57)【要約】【課題】  異なる色や太さの直線を引くことができる線引き具として、軽量小型で使いやすく、組立が簡単で、安価なものを提供する。【解決手段】  ケース2内に収容した第１、第２リール3A,3Bがこれらの中心部にまたがって通された回転自在な支持軸6を介して連結される。第１リール3Aは支持軸6に対して空回りするように、第２リール3Bは支持軸6と共回りするように組み合わせられる。第１リール3A内に渦巻バネ7が配され、その内端部71が支持軸6に、外端部72が第１リール3Aに連結される。第１リール3Aへの第１糸4Aの巻き付け方向を渦巻バネ7の巻回方向と一致させ、第２リール3Bへの第２糸4Bの巻き付け方向を反対向きとする。両リール3A,3Bから交互に繰り出された糸4A,4Bは、１つの渦巻バネ7の付勢力によって自動的に巻き取られる。【選択図】  図２
2006021254.tif 000002
【特許請求の範囲】
【請求項１】
ケース(2)内に第１のリール(3A)および第２のリール(3B)が収容され、両リール(3A)(3B)には、先端に止め具(5)を装着した第１の糸(4A)および第２の糸(4B)がそれぞれ巻き付けられており、これらの糸(4A)(4B)をケース(2)から出し入れするための第１の糸挿通口(21A)および第２の糸挿通口(21B)がケース(2)に設けられ、２つの糸挿通口(21A)(21B)の外側には止め具受け部(22)がそれぞれ形成されており、ケース(2)内における第１のリール(3A)と第１の糸挿通口(21A)との間の部分および第２のリール(3B)と第２の糸挿通口(21B)との間の部分に、これらの部分を通る糸(4A)(4B)に付着させる液状または粉末状のマーキング剤を収容するマーキング剤収容室(23A)(23B)が設けられている線引き具(1)において、
両リール(3A)(3B)がこれらの中心部にまたがって通された回転自在な支持軸(6)を介して連結され、第１のリール(3A)は支持軸(6)に対して空回りするように組み合わせられ、第２のリール(3B)は支持軸(6)に対して共回りするように組み合わせられ、第１のリール(3A)の内側に１つの渦巻バネ(7)が配され、同バネ(7)の内端部(71)が支持軸(6)に連結されるとともに、同バネ(7)の外端部(72)が第１のリール(3A)に連結され、第１のリール(3A)への第１の糸(4A)の巻き付け方向が渦巻バネ(7)の巻回方向と一致させられる一方、第２のリール(3B)への第２の糸(4B)の巻き付け方向が渦巻バネ(7)の巻回方向と反対向きとなされ、第１のリール(3A)および第２のリール(3B)から交互に繰り出された第１の糸(4A)および第２の糸(4B)が、前記１つの渦巻バネ(7)の付勢力によってそれぞれ自動的に巻き取られるようになっていることを特徴とする、線引き具。
【請求項２】
第２のリール(3B)が、環状巻枠部(311)および巻枠部(311)の一端開口を覆うように設けられかつ支持軸(6)が回転自在に嵌められる軸受け孔(312a)を中心部に有する第１の円形側板部(312)を備えたリール主体(31)と、巻枠部(311)の他端開口を覆うように支持軸(6)に回転不能に取り付けられかつケース(2)に形成された窓(201)を通じてケース(2)の外に露出させられる第２の円形側板部(321)を備えたリール蓋体(32)とよりなり、リール主体(31)の第１の側板部(312)に、孔または凹部よりなる複数のピン係合部(312b)が周方向に間隔をおいて形成され、リール蓋体(32)の第２の側板部(321)に、複数のピン係合部(312b)と選択的に合致しうるピン挿通孔(321a)があけられ、ピン挿通孔(321a)にピン(8)を通してその先端を任意のピン係合部(312b)に係合させることにより、渦巻バネ(7)の付勢力を調整できるようになっていることを特徴とする、請求項１記載の線引き具。
【発明の詳細な説明】
【技術分野】
【０００１】
本発明は、住宅建築工事、リフォーム工事等に際して、板材、柱材、壁面などに直線を引くのに用いられる線引き具に関する。
【背景技術】
【０００２】
この種の線引き具として、リールから繰り出した糸に墨汁を付着させ、この糸によって板材などに直線を付ける墨壷や、リールから繰り出した糸にチョーク粉末を付着させ、この糸によって板材などに直線を付けるいわゆるチョークラインと呼ばれるものが一般に広く知られている。
また、これらの墨壷やチョークラインにおいて、リールに渦巻バネを内蔵させ、該バネの付勢力によって、リールから繰り出された糸を自動的に巻き取る構成を備えたものも知られている（例えば、下記特許文献１参照）。
【０００３】
ところで、作業内容や直線を付すべき板材、柱材等の材質によっては、同材料に付すべき直線の色や太さ等を変えたい場合があるが、この場合、それらに応じた数種類の墨壷やチョークラインを用意する必要があり、面倒であった。
【０００４】
そこで、本出願人は、上記の問題点を解決する手段として、次のような墨壷を先に提供した。即ち、この墨壷は、前部にリール収容室が、リール収容室の後に左右一対の墨汁保持材収容室が、後端面に左右一対のかるこ保持凹部がそれぞれ設けられたケースと、リール収容室に左右に並んで設けられかつケースに対して回転自在に取り付けられた一対のリールと、各リールに巻き付けられた２本の墨糸と、各リールから墨汁保持材収容室を経てかるこ保持凹部に至る墨糸の先端に取り付けられて非使用時にかるこ保持凹部に保持される左右一対のかること、各墨汁保持材収容室に墨糸と接触するように収められた２個の墨汁保持材とを備えているものである。２つのリール内には、繰り出された糸を自動的に巻き取るための渦巻バネが配されている（下記特許文献２参照）。
【０００５】
上記の墨壷によれば、それ１つだけで、色や太さが異なる２種類の直線を引くことが可能であり、便利である。
しかしながら、上記の墨壷の場合、２つのリール内にそれぞれ渦巻バネが配されているため、その分だけ重量が大きくなる上、組み立ても複雑となって手間が掛かり、コストも高くつくという問題があった。
【特許文献１】実公平７−３７８２３号公報
【特許文献２】登録実用新案第３０５２７９７号公報
【発明の開示】
【０００６】
本発明の目的は、上記の問題点を解決し、異なる色や太さの直線を引くことができる線引き具として、軽量小型で使いやすく、組立が簡単で、安価なものを提供することにある。
【０００７】
本発明による線引き具は、ケース内に第１のリールおよび第２のリールが収容され、両リールには、先端に止め具を装着した第１の糸および第２の糸がそれぞれ巻き付けられており、これらの糸をケースから出し入れするための第１の糸挿通口および第２の糸挿通口がケースに設けられ、２つの糸挿通口の外側には止め具受け部がそれぞれ形成されており、ケース内における第１のリールと第１の糸挿通口との間の部分および第２のリールと第２の糸挿通口との間の部分に、これらの部分を通る糸に付着させる液状または粉末状のマーキング剤を収容するマーキング剤収容室が設けられているものであって、以下の点を特徴としている。
即ち、本発明の線引き具は、両リールがこれらの中心部にまたがって通された回転自在な支持軸を介して連結され、第１のリールは支持軸に対して空回りするように組み合わせられ、第２のリールは支持軸に対して共回りするように組み合わせられ、第１のリールの内側に１つの渦巻バネが配されて、同バネの内端部が支持軸に連結されるとともに、同バネの外端部が第１のリールに連結され、第１のリールへの第１の糸の巻き付け方向が渦巻バネの巻回方向と一致させられる一方、第２のリールへの第２の糸の巻き付け方向が渦巻バネの巻回方向と反対向きとなされ、第１のリールおよび第２のリールから交互に繰り出された第１の糸および第２の糸が、前記１つの渦巻バネの付勢力によってそれぞれ自動的に巻き取られるようになっているものである。
【０００８】
本発明による上記の線引き具にあっては、次のような作用が奏される。即ち、まず、第１のリールに巻き付けられている第１の糸の先端の止め具を引っ張ると、第１のリールが回転させられ、マーキング剤が付着した状態で第１の糸挿通口から第１の糸が繰り出される。この際、支持軸および第２のリールについては、第２のリールに巻き付けられている第２の糸の先端の止め具が第２の糸挿通口の止め具受け部に受けられることによって、回転が阻止される。したがって、第１の糸の繰り出しに伴って、渦巻バネが次第に巻き締められる。そして、マーキング剤が付着した第１の糸によって板材などに直線を引いた後、第１の糸の先端の止め具を手から離すと、渦巻バネの付勢力、即ち、バネの弾性復元力によって第１のリールが巻き取り方向に回転させられ、その結果、第１の糸が第１のリールに自動的に巻き取られる。
【０００９】
一方、第２のリールに巻き付けられている第２の糸の先端の止め具を引っ張ると、第２のリールが回転させられ、マーキング剤が付着した状態で第２の糸挿通口から第２の糸が繰り出される。この際、支持軸および第１のリールについては、第１のリールに巻き付けられている第１の糸の先端の止め具が第１の糸挿通口の止め具受け部に受けられることによって、回転が阻止される。したがって、第２の糸の繰り出しによっても、渦巻バネは次第に巻き締められていく。そして、マーキング剤が付着した第２の糸によって板材などに直線を引いた後、第２の糸の先端の止め具を手から離すと、渦巻バネの付勢力によって第２のリールが巻き取り方向に回転させられ、第２の糸が第２のリールに自動的に巻き取られる。
【００１０】
以上の通り、本発明の線引き具によれば、１つの渦巻バネによって、２つのリールそれぞれから繰り出された糸を自動的に巻き取ることができるようになっているので、２つのリールそれぞれに渦巻バネを組み込んでいた従来技術（特許文献２）と比べて、軽量小型化することができ、また、組み立ても簡単であり、コストが安くつく。
【００１１】
本発明による線引き具において、第２のリールが、環状巻枠部および巻枠部の一端開口を覆うように設けられかつ支持軸が回転自在に嵌められる軸受け孔を中心部に有する第１の円形側板部を備えたリール主体と、巻枠部の他端開口を覆うように支持軸に回転不能に取り付けられかつケースに形成された窓部を通じてケースの外に露出させられる第２の円形側板部を備えたリール蓋体とよりなり、リール主体の第１の側板部に、孔または凹部よりなる複数のピン係合部が周方向に間隔をおいて形成され、リール蓋体の第２の側板部に、複数のピン係合部と選択的に合致しうるピン挿通孔があけられ、ピン挿通孔にピンを通してその先端を任意のピン係合部に係合させることにより、渦巻バネの付勢力を調整できるようになっているのが好ましい。
【００１２】
上記構成によれば、ピン先端の係合位置を変えるだけで渦巻バネの付勢力を容易に調整することができるので、使い勝手がさらに向上する。
【発明を実施するための最良の形態】
【００１３】
次に、本発明の好ましい実施形態を図１〜７を参照して説明する。なお、以下の説明において、図３、図７各々の右を「前」、同各図の左を「後」、同各図の上下を「上下」といい、また、「左右」は前から見た場合をいうものとする。
【００１４】
図１〜５には、本発明の第１の実施形態が示されている。これらの図に示すように、本発明による線引き具(1)は、ケース(2)と、ケース(2)内に収容された第１のリール(3A)および第２のリール(3B)と、各リール(3A)(3B)に巻き付けられた第１の糸(4A)および第２の糸(4B)と、各糸(4A)(4B)の先端に装着された止め具(5)とを備えている。ケース(2)には、第１の糸(4A)および第２の糸(4B)をケース(2)から出し入れするための第１の糸挿通口(21A)および第２の糸挿通口(21B)が設けられている。２つの糸挿通口(21A)(21B)の外側には、止め具受け部(22)がそれぞれ形成されている。ケース(2)内における第１のリール(3A)と第１の糸挿通口(21A)との間の部分には、該部分を通過する第１の糸(4A)に付着させる粉末状のマーキング剤（図示略）を収容する第１のマーキング剤収容室(23A)が設けられている。また、ケース(2)内における第２のリール(3B)と第２の糸挿通口(21B)との間の部分には、該部分を通る第２の糸(4B)に付着させる液状のマーキング剤（図示略）を収容する第２のマーキング剤収容室(23B)が設けられている。
【００１５】
第１のリール(3A)および第２のリール(3B)は、これらの中心部にまたがって通された回転自在な支持軸(6)を介して連結されており、ケース(2)内に同心状に配置されている。第１のリール(3A)は、支持軸(6)に対して空回りするように組み合わせられている。第２のリール(3B)は、支持軸(6)に対して共回りするように組み合わせられている。第１のリール(3A)の内側には、１つの渦巻バネ(7)が配されている。そして、渦巻バネ(7)の内端部(71)が支持軸(6)に連結されるとともに、同バネ(7)の外端部(72)が第１のリール(3A)に連結されている。第１のリール(3A)への第１の糸(4A)の巻き付け方向は、渦巻バネ(7)の巻回方向と一致させられている。一方、第２のリール(3B)への第２の糸(4B)の巻き付け方向は、渦巻バネ(7)の巻回方向と反対向きとなされている。そして、以上の構成により、第１のリール(3A)および第２のリール(3B)から交互に繰り出された第１の糸(4A)および第２の糸(4B)が、１つの渦巻バネ(7)の付勢力によって自動的に巻き取られるようになっている。
【００１６】
図１に示すように、ケース(2)は、前後方向に長いものとなされていて、その内部には、上下２層のリール収容室(24A)(24B)と、下リール収容室(24A)の前方に隣接して設けられた第１のマーキング剤収容室(23A)と、上リール収容室(24B)の後方に隣接して設けられた第２のマーキング剤収容室(23B)とが設けられている。
【００１７】
２つのリール収容室(24A)(24B)は、図１に示すように、平面より見て円形のものである。２つのリール収容室(24A)(24B)どうしは、水平仕切壁(241)によって区画されている。水平仕切壁(241)の中心部には、円形の貫通孔(241a)があけられている。各リール収容室(24A)(24B)は、ケース本体(20a)に着脱自在に取り付けられるケース上蓋(20b)およびケース下蓋(20c)によって開閉可能となされている。ケース上蓋(20b)およびケース下蓋(20c)には、それぞれの中心部に窓(201)が形成されている。
【００１８】
第１のマーキング剤収容室(23A)は、図４に示すように、前端に向かって次第に細くなるような平面形状を有している。この収容室(23A)には、マーキング剤としてチョーク粉末（図示略）が収容されている。ケース(2)の左側壁部には、収容室(23A)に通じるようにマーキング剤充填口(25A)が形成されている。マーキング剤充填口(25A)は、栓体(P1)によって開閉自在に塞がれている。下側のリール収容室(24A)と、第１のマーキング剤収容室(23A)とは、これらの境界壁にあけられた糸通過孔(202)を通じて互いに連通させられている。糸通過孔(202)の周縁部には、糸案内用筒部(203)が、第１のマーキング剤収容室(23A)に向かって前方に突出するように形成されている。
【００１９】
第２のマーキング剤収容室(23B)は、図５に示すように、略三角形の平面形状を有している。この収容室(23B)には、マーキング剤としての墨汁（図示略）が、例えばスポンジよりなる墨汁保持材(231)に含浸された状態で収容されている。ケース(2)の上壁部後端には、第２のマーキング剤収容室(23B)に通じるマーキング剤補充口（図示略）が形成されている。マーキング剤補充口は、栓体(P2)によって開閉自在に塞がれている。上側のリール収容室(24B)と、第２のマーキング剤収容室(23B)とは、これらの境界壁にあけられた糸通過孔(204)を通じて互いに連通させられている。
【００２０】
ケース(2)の前端部には、前方に向かってのびる前側円筒部(205)が、第１のマーキング剤収容室(23A)と通じるように形成されていて、該円筒部(205)の後半部分にインサート部材(20d)が嵌入固定されている。インサート部材(20d)は、その前部が筒状、後部がテーパ筒状となされていて、同部材(20d)の後端開口が、第１の糸(4A)の径よりもやや大きい口径を有する第１の糸挿通口(21A)を構成している。また、ケース(2)の円筒部(205)の前半部分およびインサート部材(20d)の筒状前部によって、第１の糸(4A)の先端に装着された止め具(5)を受ける止め具受け部(22)が構成されている。
【００２１】
ケース(2)の後端部には、右斜め後方に向かってのびる後側円筒部(206)が、第２のマーキング剤収容室(23B)と通じるように形成されていて、該円筒部(206)の前半部分にインサート部材(20d)が嵌入固定されている。インサート部材(20d)は、その前部がテーパ筒状、後部が筒状となされていて、同部材(20d)の前端開口が、第２の糸(4B)の径よりもやや大きい口径を有する第２の糸挿通口(21B)を構成している。また、ケース(2)の後側円筒部(206)の後半部分およびインサート部材(20d)の筒状後部によって、第２の糸(4B)の先端に装着された止め具(5)を受ける止め具受け部(22)が構成されている。
【００２２】
第１のリール(3A)は、ケース(2)の下側リール収容室(24A)に収容され、第２のリール(3B)は、ケース(2)の上側リール収容室(24B)に収容されている。両リール(3A)(3B)を連結している支持軸(6)は、その長さ中間部において、水平仕切壁(241)の貫通孔(241a)に回転自在に嵌められている。
【００２３】
第１のリール(3A)は、リール主体(33)と、リール蓋体(34)とで構成されている。リール主体(33)は、環状巻枠部(331)と、巻枠部(331)の下端開口を覆うように設けられかつ支持軸(6)の下端が回転自在に嵌められる軸受け凹部(332a)を中心部に有する円形下側板部(332)とを備えている。巻枠部(331)は、垂直壁部と、垂直壁部の高さ中央部に連なる円弧壁部とを備えており、円弧壁部の凹部に第１の糸(4A)が巻き付けられるようになっている。下側板部(332)は、ケース下蓋(20c)の円形窓(201)を通じてケース(2)の外に露出させられている。リール蓋体(34)は、巻枠部(331)の上端開口を被覆しうる大きさを有する円形上側板部(341)と、上側板部(341)の外周縁から下方にのびかつ巻枠部(331)の内側に上方から嵌め込まれる垂下壁部(342)とを備えている。上側板部(341)の中心部には、支持軸(6)が回転自在に嵌められる貫通孔(341a)があけられている。貫通孔(341a)の下部には、支持軸(6)の長さ中間部に形成された環状凸部(61)が嵌まる段差(341b)が形成されている。
【００２４】
第２のリール(3B)は、リール主体(31)とリール蓋体(32)とで構成されている。リール主体(31)は、環状巻枠部(311)と、巻枠部(311)の下端開口を覆うように設けられかつ支持軸(6)が回転自在に嵌められる軸受け孔(312a)を中心部に有する円形下側板部(312)（＝第１の側板部）とを備えている。巻枠部(311)は、垂直壁部と、垂直壁部の上縁に幅狭の水平壁部を介して連なる円弧壁部とを備えており、円弧壁部の凹部に第２の糸(4B)が巻き付けられるようになっている。リール蓋体(32)は、巻枠部(311)の上端開口を覆うように支持軸(6)に回転不能に取り付けられた円形上側板部(321)（＝第２の側板部）と、上側板部(321)の外周縁から下方にのびかつ巻枠部(311)の内側に上方から嵌め込まれる垂下壁部(322)とを備えている。上側板部(321)は、ケース上蓋(20b)の円形窓(201)を通じてケース(2)の外に露出させられるようになっている。
【００２５】
支持軸(6)の上端部に、断面方形の角柱部(62)が形成されている。一方、第２リール(3B)のリール蓋体(32)における上側板部(321)下面の中心部に、前記角柱部(62)が嵌まる断面方形の下方開口凹部(323a)を有する垂下部(323)が形成されている。そして、リール蓋体(32)の上側板部(321)と、支持軸(6)上端の角柱部(62)とが、ビス(S)によって固定されている。従って、第２のリール(3B)において、リール主体(31)は、支持軸(6)に対して空回りし、リール蓋体(32)は、支持軸(6)に対しては共回りするが、リール主体(31)に対しては空回りするようになっている。
【００２６】
リール主体(31)の下側板部(312)に、孔よりなる４つのピン係合部(312b)が周方向に間隔をおいて形成されている。一方、リール蓋体(32)の上側板部(321)に、４つのピン係合部(312b)と選択的に合致しうる１つのピン挿通孔(321a)があけられている。そして、ピン挿通孔(321a)に上方からピン(8)を通してその先端を任意のピン係合部(312b)に係合させることにより、渦巻バネ(7)の付勢力を調整できるようになっている。
【００２７】
ピン(8)は、垂直軸部(81)と、軸部(81)の上端に連なる頭部(82)とを備えている。軸部(81)は、その下端から上方に向かってスリット(811)が入れられており、径方向に弾性変形可能となされている。また、軸部(881)にはその外周面に複数の突起(812)が形成されている。ピン(8)の軸部(81)の長さ中間部分は、上側板部(321)のピン挿通孔(321a)に合致するように垂直壁部の内側に形成された垂直筒部(324)に、縮径方向に若干弾性変形した状態で嵌められるようになっている。
【００２８】
渦巻バネ(7)は、図４に示すように、第１のリール(3A)におけるリール主体(33)とリール蓋体(34)とで囲まれた空間内に、巻回方向が平面より見て反時計回り方向となるように配されている。また、上記空間内に位置する支持軸(6)の下部には、下端からスリット(63)が入れられている。そして、このスリット(63)に、渦巻バネ(7)の内端部(71)が差し込まれて固定されている。渦巻バネ(7)の外端部(72)は、リール蓋体(34)の垂下壁部(342)に形成された切り欠き(342a)に嵌め込まれて固定されている。
【００２９】
図４に示すように、第１の糸(4A)は、第１のリール(3A)に、渦巻バネ(7)の巻回方向と同じ方向、即ち、平面より見て反時計回り方向に巻き付けられている。この第１の糸(4A)は、第１のリール(3A)から巻き戻されることにより、糸通過孔(202)および糸案内用筒部(203)を経て、第１のマーキング剤収容室(23A)に至り、ここで粉末チョークを付着された後、第１の糸挿通口(21A)からケース(2)外に繰り出されるようになっている。
【００３０】
図５に示すように、第２の糸(4B)は、第２のリール(3B)に、渦巻バネ(7)の巻回方向と反対方向、即ち、平面より見て順時計回り方向に巻き付けられている。この第２の糸(4B)は、第２のリール(3B)から巻き戻されることにより、糸通過孔(204)を経て、第２のマーキング剤収容室(23B)に至り、ここで墨汁保持材(231)に含浸された墨汁を付着された後、第２の糸挿通口(21B)からケース(2)外に繰り出されるようになっている。なお、第１の糸(4A)と第２の糸(4B)とは、互いに同じ太さであっても良いし、異なる太さであっても良い。
【００３１】
糸(4A)(4B)の各先端に装着された止め具(5)は、先端部に引っ掛けリング部(51)を有するフックによって構成されている。フック(5)の基端部(52)は、ケース(2)の止め具受け部(22)に嵌まるような形状となされている。なお、上記フック(5)に代え、固定用ピンを有するカルコによって、止め具を構成しても勿論よい。
【００３２】
次に、上記線引き具(1)の使用方法を説明する。まず、板材などに粉末チョークによって直線を引きたい場合には、第１のリール(3A)に巻き付けられている第１の糸(4A)先端の止め具(5)を前方に引っ張る。
すると、第１のリール(3A)が回転させられ、粉末チョークよりなるマーキング剤が付着した第１の糸(4A)が、第１の糸挿通口(21A)から繰り出される。この際、支持軸(6)および第２のリール(3B)については、第２のリール(3B)に巻き付けられている第２の糸(4B)の先端の止め具(5)が第２の糸挿通口(21B)の外側の止め具受け部(22)に受けられることによって、回転が阻止される。したがって、第１の糸(4A)の繰り出しに伴って、渦巻バネ(7)が次第に巻き締められる。
そして、第１の糸(4A)先端の止め具(5)を所要箇所に止めておいて、第１の糸(4A)をはじくと、第１の糸(4A)に付着していた粉末チョークによって、板材などに直線を引くことができる。
その後、第１の糸(4A)の先端の止め具(5)を手から離すと、渦巻バネ(7)の付勢力、即ち、同バネ(7)の弾性復元力によって第１のリール(3A)が巻き取り方向に回転させられ、その結果、第１の糸(4A)が第１のリール(3A)に自動的に巻き取られる。
【００３３】
一方、板材などに墨汁によって直線を引きたい場合には、第２のリール(3B)に巻き付けられている第２の糸(4B)の先端の止め具(5)を斜め後方に引っ張る。
すると、第２のリール(3B)が回転させられ、墨汁が付着した第２の糸(4B)が、第２の糸挿通口(21B)から繰り出される。この際、支持軸(6)および第１のリール(3A)については、第１のリール(3A)に巻き付けられている第１の糸(4A)の先端の止め具(5)が第１の糸挿通口(21A)の外側の止め具受け部(22)に受けられることによって、回転が阻止される。したがって、第２の糸(4B)の繰り出しによっても、渦巻バネ(7)は次第に巻き締められていく。
そして、止め具(5)を所要箇所に止めておいて、第２の糸(4B)をはじくと、第２の糸(4B)に付着していた墨汁によって、板材などに直線が引かれる。
その後、第２の糸(4B)の先端の止め具(5)を手から離すと、渦巻バネ(7)の付勢力によって第２のリール(3B)が巻き取り方向に回転させられ、第２の糸(4B)が第２のリール(3B)に自動的に巻き取られる。
【００３４】
図６および図７には、本発明の第２の実施形態が示されている。この実施形態は、以下の点を除いて、図１〜５に示す第１の実施形態と実質的に同じである。
即ち、この実施形態の線引き具(1)では、墨汁保持材(231)を収容する第２のマーキング剤収容室(23B)が、後端に向かって次第に細くなるような平面形状を有している。ケース(2)の左側壁後部には、収容室(23B)に通じるようにマーキング剤補充口（図示略）が形成されている。マーキング剤補充口は、栓体(P2)によって開閉自在に塞がれている。上側のリール収容室(24B)と、第２のマーキング剤収容室(23B)とは、これらの境界壁にあけられた糸通過孔(204)を通じて互いに連通させられている。糸通過孔(204)の周縁部には、糸案内用筒部(204a)が、第２のマーキング剤収容室(23B)に向かって後方に突出するように形成されている。
なお、図６および図７には表れていないが、第１のマーキング剤収容室(23A)にチョーク粉末を充填するためのマーキング剤充填口が、ケース(2)の右側壁前部に形成され、同充填口が栓体によって開閉自在に塞がれている。
ケース(2)の後端部の後側円筒部(206)は、後方に向かってのびるように形成されている。したがって、同円筒部(206)に嵌入されたインサート部材(20d)の前端開口によって構成される第２の糸挿通口(21B)は、第１の糸挿通口(21A)の向きと正反対の後ろ向きとなされている。
【００３５】
上記の２つの実施形態はあくまでも例示にすぎず、特許請求の範囲に記載された本発明の要旨を逸脱しない範囲内で適宜に変更を加えた上で、本発明を実施することも勿論可能である。
例えば、上記各実施形態では、第１の糸挿通口(21A)が前向き、第２の糸挿通口(21B)が斜め後ろ向きまたは後ろ向きとなっていたが、両者をいずれも前向きとしたり、互いに直角をなす向きとすることも可能である。
また、上記各実施形態では、２つのマーキング剤収容室(23A)(23B)のうち一方に粉末チョークを、他方に墨汁を収容していたが、これらを逆にしてもよく、あるいは、双方に墨汁または粉末チョークを収容するようにしてもよい。また、第１の糸(4A)と第２の糸(4B)の太さだけを変えたいような場合には、ケース内にマーキング収容室を１つだけ設け、同収容室において双方の糸にマーキング剤を付着させる構成とすることも可能である。
【図面の簡単な説明】
【００３６】
【図１】本発明の第１の実施形態を示すものであって、線引き具の平面図である。
【図２】図１のII−II線に沿う垂直断面図である。
【図３】線引き具の正面図である。
【図４】図３のIV−IV線に沿う水平断面図である。
【図５】図３のV−V線に沿う垂直断面図である。
【図６】本発明の第２の実施形態を示すものであって、線引き具の斜視図である。
【図７】図６のVII−VII線に沿う垂直断面図である。
【符号の説明】
【００３７】
(1)：線引き具
(2)：ケース
(21A)：第１の糸挿通口
(21B)：第２の糸挿通口
(22)：止め具受け部
(23A)：第１のマーキング剤収容室
(23B)：第２のマーキング剤収容室
(201)：窓
(3A)：第１のリール
(3B)：第２のリール
(31)：リール主体
(311)：巻枠部
(312)：下側板部（第１の側板部）
(312a)：軸受け孔
(312b)：ピン係合部
(32)：リール蓋体
(321)：上側板部（第２の側板部）
(321a)：ピン挿通孔
(4A)：第１の糸
(4B)：第２の糸
(5)：フック（止め具）
(6)：支持軸
(7)：渦巻バネ
(71)：内端部
(72)：外端部
(8)：ピン
【図１】
2006021254.tif 000003
【図２】
2006021254.tif 000004
【図３】
2006021254.tif 000005
【図４】
2006021254.tif 000006
【図５】
2006021254.tif 000007
【図６】
2006021254.tif 000008
【図７】
2006021254.tif 000009